(57)【要約】【課題】地中に埋設する必要がなく、ランニングコストを低減でき、足を滑らせての転倒事故を防止することもできる耐久性および保管性に優れた置敷式融雪装置を提供する。【解決手段】複数本の発熱体１の上にネット３あるいは多孔体を載せて、その周縁に枠材４，５を取付けた構成の置敷式融雪装置とする。地面に置敷して使用でき、発熱体によって直接雪を融かすため、融雪に必要な熱量は少なくてすみ、ランニングコストを抑えることができる。融雪装置の最上面（層）にネットあるいは多孔体を載置しているので、発熱体につまずいたりして転倒する事故を減らすことができる。また、ネットあるいは多孔体で発熱体を保護しているため耐久性にも優れる。【選択図】図１
2005200887.tif 000002
【特許請求の範囲】
【請求項１】
複数本の発熱体の上にネットあるいは多孔体を載せて、その周縁に枠材を取付けたことを特徴とする置敷式融雪装置。
【請求項２】
複数本の発熱体を並列に配置し、その発熱体に直交するように複数本の補助部材を配置して網体にしたことを特徴とする請求項１に記載の置敷式融雪装置。
【請求項３】
相対向する２つの端縁に取付ける枠材が、屈曲自在な枠材であることを特徴とする請求項１に記載の置敷式融雪装置。
【請求項４】
発熱体の端部を一側面が開口した枠材に挿入して、発熱体の上方から押さえ部材で、発熱体を枠材の内底面に固定したことを特徴とする請求項１ないし請求項３のいずれかに記載の置敷式融雪装置。
【請求項５】
発熱体の下方に配置されたネット支持材に、止具によってネットあるいは多孔体と発熱体を固定したことを特徴とする請求項１ないし請求項４のいずれかに記載の置敷式融雪装置。
【発明の詳細な説明】
【技術分野】
【０００１】
本発明は、店舗や家屋の入り口付近などに積もった雪や氷を融かす、施工の容易な置敷式融雪装置に関するものである。
【背景技術】
【０００２】
道路などに積もった雪や氷を融かす装置としては、熔融アスファルトの透過することが可能な目をもつ多孔質の布材で形成されたシートの上面に、カーボン短繊維を芯線とし該芯線を絶縁被覆材で被覆した線状発熱体が適当な間隔をあけて取付けられている道路埋設用融雪装置などが知られている（特許文献１）。けれども、この融雪装置は、地中に埋設するため、施工が大がかりなものとなり、施工費が高くつくという問題があった。しかも、地中から間接的に路面の雪を融かすため、融雪にはかなりの熱量が必要でランニングコストが高くなるという問題もあった。また、一旦埋設してしまうと、融雪したい場所を変更したり、増設したい時には、その都度道路を掘り起こさなければならず、施工の時間や費用の面で相当な負担を強いられるという問題もあった。
【０００３】
一方、たがいに間隔をあけて配列した複数の合成樹脂ないしゴム製のチューブからなる上層と、上層の下面に、上層のチューブと交差するようにたがいに間隔をあけて配列して接合した複数本の合成樹脂ないしゴム製の線材からなる下層と、上層のチューブに挿入したコードヒータとからなる電熱マットも知られている（特許文献２）。しかし、この電熱マットは、暖房具としての使用を前提としているため、融雪装置としては、融雪能力や強度の面などで不十分なものであった。更に、この装置は、チューブが剥き出しとなっているため、チューブに足を引っ掛けて転倒するという問題や、チューブが保護されていないので耐用期間が短くなるなどの問題もあった。
【特許文献１】特開平８−１２０６１１号公報
【特許文献２】特開平６−３４１６５３号公報
【発明の開示】
【発明が解決しようとする課題】
【０００４】
本発明は上記事情に対処すべくなされたもので、地中に埋設する必要がなく、ランニングコストを低減でき、足を滑らせての転倒事故を防止することもできる耐久性および保管性に優れた置敷式融雪装置を提供することを解決課題としている。
【課題を解決するための手段】
【０００５】
上記課題を解決するため、本発明の置敷式融雪装置は、複数本の発熱体の上にネットあるいは多孔体を載せて、その周縁に枠材を取付けたことを特徴とするものである。
【０００６】
本発明の置敷式融雪装置においては、複数本の発熱体を並列に配置し、その発熱体に直交するように複数本の補助部材を配置して網体にすることが好ましい。そして、相対向する２つの端縁には屈曲自在な枠材を取付け、発熱体の上に合成樹脂製のネットあるいは多孔体を載置し、発熱体としてチューブの内部に抵抗発熱体よりなる線材を挿通し、線材とチューブとの隙間を電気絶縁体で充填して形成したものを使用し、補助部材として合成樹脂製のパイプ、コード、チューブ等を使用するのが好ましい。また、発熱体の端部を一側面が開口した枠材に挿入して、発熱体上方から押さえ部材で、発熱体を枠材の内底面に固定し、発熱体の下方に配置されたネット支持材に、止具によってネットあるいは多孔体と発熱体を固定し、更に、屈曲自在な枠材にネットの端縁を重ね、止具をネットの端縁の網目から屈曲自在な枠材に挿通してネットの端縁と屈曲自在な枠材を固定することが好ましい。
【発明の効果】
【０００７】
本発明の置敷式融雪装置は、発熱体の上にネットあるいは多孔体を載せて、その周縁に枠材を取付けたものであるから、店舗等の入り口付近の地面に置敷して簡単に使用でき、従来のように、地中に埋設しなくてすむので、施工にかかる時間や費用、労力を大幅に軽減できる。また、ネットあるいは多孔体の上の雪や氷を発熱体によって直接融かすため、融雪に必要な熱量は、地中に埋設するタイプの融雪装置と比べて少なくてすみ、ランニングコストを抑えることもできる。更に、融雪装置の最上面（層）にネットあるいは多孔体を載置しているので、発熱体につまずいたりして転倒する事故を減らすことができ、ネットあるいは多孔体で発熱体を保護しているため耐久性にも優れる。その上、置敷式融雪装置は地中に埋設することなく人が直接その上を通行するので、発熱体同士が接触しないように発熱体全面を固定し、また、それを正確に一定間隔に配置することが難しく、一定に配置できないと融雪の際に温度むらの原因になっている。しかし、本発明の置敷式融雪装置の発熱体は、直角方向に配置された補助部材にて一定間隔に固定された網体になっている為、どのような場所や許容範囲の応力が加わっても発熱体の間隔は変化することが無く、単位面積あたりの電力密度が変わることも無く、温度むらとはならず融雪能力に変化が生じない。
【０００８】
また、発熱体を並列に配置し、その発熱体に直交するように補助部材を配置して網体にした置敷式融雪装置は、周縁の枠材やネットとの取付けが容易になり強度も増す。
【０００９】
更に、相対向する２つの端縁に取付ける枠材を、屈曲自在なものとした置敷式融雪装置は、夏場など、融雪装置が不要な時に、枠材と発熱体やネットあるいは多孔体を分解することなく巻回してコンパクトに収納できるので保管性が良く、再び融雪装置が必要な季節には、巻き戻して地面に置敷するだけでよいから面倒な組立て作業が不要となる。このように巻回して収納を可能とすることで、本発明の置敷式融雪装置は、常時、設置している融雪装置と比較すると、耐久性が高くなる。
【００１０】
また、発熱体の上に載せるネットあるいは多孔体は特に材質を限定するものではないが、合成樹脂製のネットあるいは多孔体とした置敷式融雪装置は、ネットあるいは多孔体が錆びることがなく、濡れた時など金属製のネットあるいは多孔体と比べて滑りにくいので、転倒事故を防止することができる。また、柔軟性に優れているため、巻回して収納しやすく、切断などの加工も容易である。
【００１１】
発熱体の端部を一側面が開口した枠材に挿入して、発熱体の上方から押さえ部材で、発熱体を枠材の内底面に固定したり、ネットあるいは多孔体の網目若しくは孔から止具を発熱体の下方に配置されたネット支持材に挿通してネットあるいは多孔体と発熱体を固定したり、更に、屈曲自在な枠材にネットあるいは多孔体の端を重ね、止具をネットあるいは多孔体の端縁の網目若しくは孔から屈曲自在な枠材に挿通してネットあるいは多孔体の端縁と屈曲自在な枠材を固定した置敷式融雪装置は、発熱体と枠材、発熱体とネットあるいは多孔体、ネットあるいは多孔体と屈曲自在な枠材を簡単且つ確実に固定して短時間で組立てることができるので、従来の融雪装置に比べて、製造が容易である。
【００１２】
また、発熱体にチューブの内部に抵抗発熱体よりなる線材を挿通し、線材とチューブとの隙間を電気絶縁体で充填して形成した融雪チューブを使用した置敷式融雪装置は、冬期でも安定して数十℃にまで加熱されるため、ネットあるいは多孔体の上に積もった雪や氷を速やかに融かすことができる。また、最上面（層）がネットあるいは多孔体であるため、雪や氷が下に落ち易い。従って、この融雪装置を店舗の入り口に置敷すれば、店内に雪が持ち込まれにくくなり、店内を清潔に保つことができる。
【発明を実施するための最良の形態】
【００１３】
以下、図面に基づいて本発明の代表的な実施形態を詳述するが、本発明はこの実施形態のみに限定されるものではない。
【実施例１】
【００１４】
図１は本発明の一実施形態に係る置敷式融雪装置の概略平面図、図２は同装置の分解部分斜視図、図３は同装置の発熱体としての融雪チューブとネットを固定した部分の拡大断面図、図４は同装置の融雪チューブとスロープ状の枠材を固定した部分の拡大断面図、図５は同装置のネットと屈曲自在な枠材を固定した部分の拡大断面図、図６は同装置の屈曲自在な枠材を構成する分割枠材の平面図、図７は同分割枠材の側面図、図８は同分割枠材の断面図、図９は同分割枠材を連結する連結片の正面図、図１０は融雪チューブの配線状態を示す平面図である。
【００１５】
この置敷式融雪装置は、図１、図２に示すように、複数本の発熱体としての融雪チューブ１と、その上に載置されたネット３と、その四周縁に取付けられた枠材４，５などの主要構成部品からなるものである。
【００１６】
融雪チューブ１は、可撓性のチューブの内部に抵抗発熱体よりなる線材を挿通し、線材とチューブとの間隙に電気絶縁体を充填したものであって、線材に通電すると抵抗発熱して冬期でも数十℃まで昇温できるようになっている。この融雪チューブ１は、図１，図２，図１０に示すように、間隔をあけて複数本並列に配置されており、これらの融雪チューブ１と直交するように複数本のチューブ状の補助部材２が間隔をあけて融雪チューブの下側に配置されている。そして、各交点で融雪チューブ１と補助部材２とが固着され、方形の網目を有する網体が形成されている。
【００１７】
図２，図１０に示すように、各融雪チューブ１の両端には二股のコネクター１ａが取付けられており、互いに隣接する融雪チューブ１のコネクター１ａ同士が接続用のコード１ｂで接続されて、各融雪チューブ１が並列に電気接続されている。そして、一端に位置する融雪チューブ１のコネクター１ａには給電用のコード１ｃが接続されており、通電すると、並列に電気接続された各融雪チューブ１が発熱して上記のように数十℃まで温度が上昇するようになっている。
【００１８】
融雪チューブ１の相互間隔は５〜１５ｃｍ程度に設定することが好ましく、この程度の間隔をあけて融雪チューブ１を並列に配置すると、通電したときに融雪に十分な発熱量を得ることができる。補助部材２の間隔も、融雪チューブ１と同様に５〜１５ｃｍ程度に設定することが好ましい。
【００１９】
補助部材２は、融雪チューブ１と同程度の太さを有する合成樹脂製のチューブ等が好ましいが、融雪チューブ１を補助部材２として使用しても勿論よい。このように融雪チューブ１を補助部材２として使用すると、発熱量が倍増するため厳寒のときでもネット３の上に積もった雪や氷を短時間で確実に融かすことができる利点がある。
【００２０】
図４に示すように、融雪チューブ１の端部は、一側面が開口したスロープ状の枠材５に挿入され、押さえ部材１０によって枠材５の内底面に固定されている。この枠材５は、図２に示すように、傾斜面を有する上枠部材５１と平板状の下枠部材５２からなるもので、ＡＡＳ樹脂などの合成樹脂で成形されている。上枠部材５１は、図４に示すようにその中間部から下向きに一対の脚片５１ａ，５１ａが突設されており、各脚片５１ａの下端には外向きの係合爪５１ｂが形成されている。一方、下枠部材５２は、その中間部から上向きに一対の起立片５２ａ，５２ａが上記脚片５１ａ，５１ａよりも広い間隔をあけて突設されており、各起立片５２ａの上端には内向きの係合爪５２ｂが形成されている。そして、上枠部材５１の脚片５１ａ，５１ａが下枠部材５２の起立片５２ａ，５２ａの内側に挿入されて、脚片５１ａの係合爪５１ｂが起立片５２の係合爪５２ｂに下方から係合し、これによって上下の枠部材５１，５２が分離しないように合体されて、一側面が開口したスロープ状の枠材５が構成されている。
【００２１】
融雪チューブ１の端部を固定する押さえ部材１０はＳＵＳ等の金属からなる帯状の部材であって、図２に示すように、融雪チューブ１の間隔に等しい間隔をあけて逆Ｕ字形の凸曲部１０ａが形成されている。そして、各凸曲部１０ａに融雪チューブ１を嵌め込んで図４に示すように押さえ部材１０を下枠部材５２に重ねると共に、下枠部材５２のピン孔５２ｃから固定ピン６を押さえ部材１０のピン孔１０ｂに抜出し不能に挿通することによって、融雪チューブ１の端部が押さえ部材１０で押さえられてスロープ状の枠材５の内底面、つまり下枠部材５２の表面に固定されている。
【００２２】
上記の固定ピン６は、その軸部に割り溝が形成されると共に、軸部の先端に戻り防止用の突起が形成されたものであって、この固定ピン６の軸部を下枠部材５２のピン孔５２ｃから押さえ部材１０のピン孔１０ｂへ押し込むと、軸部が内側に弾性変形しながらピン孔を通過したのち復元して先端の戻り防止用の突起がピン孔１０ｂの周縁部に係合し、ワンタッチで押さえ部材１０を固定できるようになっている。
【００２３】
融雪チューブ１の上に載置されるネット３は、網目を有するポリエチレン等の合成樹脂ネットであって、その縦糸及び横糸の太さが２〜５ｍｍ程度、網目の一辺の長さが５〜３０ｍｍ程度のものが好ましく使用される。網目が大き過ぎると下に配置された融雪チューブを傷付け易く、強度も落ちるが、逆に網目が小さ過ぎると熱の伝わりが悪くなり融雪の効率が良くないので、網目の一辺の長さが５〜１０ｍｍがより好ましい。このような合成樹脂ネットは人の荷重に十分耐え得る実用強度があり、錆びる心配がなく、濡れていても金属ネットに比べて滑りにくいため転倒の危険性が少なく、柔軟性があるため巻回が容易であり、切断なども容易であるといった利点を有する。なお、更に大きい強度が要求される場合には、ネット３として高強度の金属ネットを使用すればよい。
【００２４】
上記のネット３は、図３に示すように、ネット支持材１１と固定ピン６によって融雪チューブ１と一体に固定されている。このネット支持材１１は、図２に示すように、ＳＵＳ等の金属からなる帯状部材に、融雪チューブ１が嵌まり込むＵ字形の凹曲部１１ａを、融雪チューブ１の相互間隔と等しい間隔をあけて形成すると共に、帯状部材の両端を下方に折曲し更に外側に折曲することによって支持脚１１ｂを形成したものである。このネット支持材１１の支持脚１１ｂは枠材４，５と同様の高さを有し、ネット３を枠材４，５の上面と略面一に支持できるようになっている。
【００２５】
図３に示すように、上記のネット支持材１１は融雪チューブ１の下側に配置され、その凹曲部１１ａに融雪チューブ１が嵌め込まれて、その上にネット３が載置されている。そして、このネット３の網目から固定ピン６がネット支持材１１のピン孔１１ｃに抜出し不能に挿通され、これによってネット３と融雪チューブ１が一体的に固定されている。このように融雪チューブ１をネット３で覆った状態で一体的に固定すると、融雪チューブ１が表面に露出しないので、足を融雪チューブ１に引っ掛けて転倒したり、融雪チューブ１を破損したりする恐れがなくなる。
【００２６】
相対向するもう一対の屈曲自在な枠材４，４は、図２に示すように、複数の分割枠材４１が連結片４２を介して屈曲自在に連結されたものである。分割枠材４１及び連結片４２はいずれもＡＡＳ樹脂などの合成樹脂の射出成形品であって、分割枠材４は図８に示すようなコ字形の断面形状を有しており、図６，図７に示すように、この分割枠材４の長さ方向両端部の側面には、先端が拡径された支軸４１ａ，４１ａが突設されている。一方、連結片４２は、図９に示すように両端部に軸受け用の切欠部４２ａ，４２ａが形成されたものであり、この切欠部４２ａ，４２ａを上記の支軸４１ａ，４１ａに嵌合することによって分割枠材４１が連結されている。従って、この枠材４は、支軸４１ａ，４１ａを中心に分割枠材４１と連結片４２が相対的に回動して屈曲が自在であるため、この枠材４を環状に巻回することが可能である。枠材４を小さく巻回するためには、分割枠材４１の長さを１５〜３０ｃｍ程度とし、連結片４２の長さを１０〜１５ｃｍ程度とするのが好ましい。また、図６，図８に示すように、それぞれの分割枠材４１の上面と下面には、固定ピン７を挿通するピン孔４１ｂ，４１ｂが穿孔されており、分割枠材４１の内側には耐荷重性を高めるための補強片４１ｃも複数形成されている。
【００２７】
前記のネット３は、図５に示すように、ネット端縁が屈曲自在な枠材４の各分割枠材４１の上面に重ねられ、ネット端縁の網目から固定ピン７を分割枠材４１の上面と下面のピン孔４１ｂ，４１ｂに抜出し不能に挿通することによって，各分割枠材４１の上面に固定されている。この固定ピン７は、前述した固定ピン６よりも軸部が長い点を除いては同様のものであり、割り溝の形成された軸部の先端に戻り防止用の突起が形成されている。
【００２８】
以上のような構成の置敷式融雪装置は、店舗等の入口へ通じる箇所に置敷して簡単に使用でき、地中に埋設する融雪装置に比べると、施工に要する時間、費用、労力を大幅に削減することができる。そして、融雪チューブ１に通電すると、融雪チューブ１が数十℃に発熱するため、ネット３に積もった雪や歩行者の靴に付着している雪がすみやかに融解し、店舗内に持ち込まれることがないので、店内を清潔に保つことができる。このように、本発明の置敷式融雪装置は、地面に置敷してネット３上に積もった雪や氷を融雪チューブ１で直接的に融解させるため、地中に埋設して間接的に地上の雪を融解する装置に比べると、消費電力が少なくてすみ、ランニングコストを相当低減することができる。また、合成樹脂ネット３を使用すると、錆が発生せず、滑って転倒する危険性も解消される。しかも、この合成樹脂ネット３、融雪チューブ１、屈曲自在な枠材４，４はいずれも巻回可能であるから、不要な夏場にはこの融雪装置全体を巻回してコンパクトに収納、保管することができ、再び融雪装置が必要な季節になると、融雪装置を巻き戻して地面に置敷するだけで簡単に再使用することができる。。
【図面の簡単な説明】
【００２９】
【図１】本発明の一実施形態に係る置敷式融雪装置の概略平面図である。
【図２】同装置の分解部分斜視図である。
【図３】同装置の発熱体としての融雪チューブとネットを固定した部分の拡大断面図である。
【図４】同装置の融雪チューブとスロープ状の枠材を固定した部分の拡大断面図である。
【図５】同装置のネットと屈曲自在な枠材を固定した部分の拡大断面図である。
【図６】同装置の屈曲自在な枠材を構成する分割枠材の平面図である。
【図７】同分割枠材の側面図である。
【図８】同分割枠材の断面図である。
【図９】同分割枠材を連結する連結片の正面図である。
【図１０】融雪チューブの配線状態を示す平面図である。
【符号の説明】
【００３０】
１    発熱体（融雪チューブ）
２    補助部材
３    ネット
４    屈曲自在な枠材
４１  分割枠材
４２  連結片
５    スロープ状の枠材
５１  上枠部材
５２  下枠部材
６，７  固定ピン（止具）
１０  押さえ部材
１１  ネット支持材
【図１】
2005200887.tif 000003
【図２】
2005200887.tif 000004
【図３】
2005200887.tif 000005
【図４】
2005200887.tif 000006
【図５】
2005200887.tif 000007
【図６】
2005200887.tif 000008
【図７】
2005200887.tif 000009
【図８】
2005200887.tif 000010
【図９】
2005200887.tif 000011
【図１０】
2005200887.tif 000012